(57)【要約】【課題】安価な方法で２つの表示パネルのパネル間距離を変更することが可能な表示装置を提供すること。【解決手段】第１表示パネル（１０Ａ）と、第１表示パネル（１０Ａ）の後方に配設される第２表示パネル（１０Ｂ）と、第１表示パネル（１０Ａ）の前方に配設される前面枠２０と、第１表示パネル（１０Ａ）と第２表示パネル（１０Ｂ）との間に配設されて第１表示パネル（１０Ａ）及び第２表示パネル（１０Ｂ）を支持する中間ケース（３０、３５）と、第２表示パネル（１０Ｂ）の後方に設けられるバックライト４０と、を備える表示装置１であって、少なくとも前面枠２０、中間ケース（３０、３５）及びバックライト４０の隅部にはそれぞれ固定孔２３ａ、３３ａ、３８ａ、４４ａが設けられており、該隅部毎に一体に固定されている。【選択図】図４
2008242153.tif 000002
【特許請求の範囲】
【請求項１】
第１表示パネルと、前記第１表示パネルの後方に配設される第２表示パネルと、前記第
１表示パネルの前方に配設される前面枠と、前記第１表示パネルと前記第２表示パネルと
の間に配設されて前記第１表示パネル及び前記第２表示パネルを支持する中間ケースと、
前記第２表示パネルの後方に設けられるバックライトと、
を備える表示装置であって、
少なくとも前記前面枠、中間ケース及びバックライトの隅部にはそれぞれ固定孔が設け
られており、該隅部毎に一体に固定されていることを特徴とする表示装置。
【請求項２】
前記前面枠は額縁状に形成され且つその外周囲から側壁が垂下されて構成されており、
更に前記バックライトの後方には矩形状の板体からなりその外周縁から側壁が立設された
裏面カバーが設けられ、前記裏面カバーはその側壁が前記前面枠の側壁にその固定位置の
変更が可能な状態で固定されていることを特徴とする請求項１に記載の表示装置。
【請求項３】
前記中間ケースは第１ケースと第２ケースの複数部材からなり、前記第１ケースは第１
表示パネルを支持し、前記第１ケースの後方にはモアレ対策フィルムが配設され、前記第
２ケースは該モアレ対策フィルムと前記第２表示パネルとの間に位置して該モアレ対策フ
ィルム及び前記第２表示パネルを支持し、前記第１、第２ケースのそれぞれの隅部には前
記固定孔が設けられていることを特徴とする請求項１に記載の表示装置。
【請求項４】
前記第１、第２表示パネルは液晶表示パネルからなることを特徴とする請求項１に記載
の表示装置。
【請求項５】
前記バックライトはカーボンナノチューブを用いたフィールド・エミッション・ディス
プレイからなる平面光源であることを特徴とする請求項４に記載の表示装置。
【請求項６】
前記第１表示パネルは液晶表示パネルからなり、前記第２表示パネル及び前記バックラ
イトは、カーボンナノチューブを用いたフィールド・エミッション・ディスプレイにより
兼用されていることを特徴とする請求項１に記載の表示装置。
【発明の詳細な説明】
【技術分野】
【０００１】
本発明は表示装置に関し、特に２つの表示パネルを重ねて配置して各種画像を表示する
とともに、これらの２つの表示パネル間の位置決めを容易な構造で行うことが可能な表示
装置に関する。
【背景技術】
【０００２】
表示画面の立体感乃至現実感を向上させる目的で２枚の表示パネルを重ねて配置して表
示を行う表示装置がある。このような表示装置は、例えば、下記特許文献１に開示されて
いる。
【０００３】
図８は下記特許文献１に係る弾球遊技機に用いられる表示装置を示す断面図である。
下記特許文献１に開示された弾球遊技機に用いられる表示装置１００は、２つのＬＣＤ
（Liquid Crystal Display）１０１、１０２からなる。このＬＣＤ１０１、１０２は、図
８に示すように、それぞれ、周知の薄膜トランジスタ（ＴＦＴ：Thin Film Transistor）
型のカラーＬＣＤであり、間隔を開けて前側のＬＣＤ１０１と後側のＬＣＤ１０２とが平
行に配置されている。該ＬＣＤ１０１、１０２は、周知のものであり、例えば、後面側か
ら偏光フィルム１０６、ガラス基板１０７、薄膜トランジスタからなる駆動部１０８、配
向膜１０９、スペーサとなる粒子が分散された液晶１１０、配向膜１０９、ＩＴＯからな
る共通電極１１１、保護膜１１２、カラーフィルタ１１３、ガラス基板１０７、偏光フィ
ルム１０６が積層された状態で配置されたものである。また、後側ＬＣＤ１０２の背面に
は、面状発光体からなるバックライト１１４が取り付けられている。
【特許文献１】特開平６−３３９５７５号公報（段落［００１２］、図２）
【発明の開示】
【発明が解決しようとする課題】
【０００４】
上記特許文献１に開示された表示装置は、その使用用途から前側のＬＣＤ１０１と後ろ
側のＬＣＤ１０２との間の距離を変えることは想定されていない。しかしながら、上記特
許文献１に開示されたような使用用途以外にも、例えば３Ｄ表示用など、２つの表示パネ
ル（ＬＣＤ）を重ねて表示することが近年行われるようになっている。このように２つの
表示パネルを用いて表示を行う表示装置の場合、表示する対象によってその２つの表示パ
ネル同士の距離を変更することが必要となる。
【０００５】
上述したように２つの表示パネル間の距離を変更する必要がある場合、通常は表示装置
の筐体自体も変更しなければならない。そのため、ユーザ毎のニーズに答えるためには２
つのパネル間距離に対応して筐体を複数種準備する必要が生じる。したがって、このよう
な場合は別途余分な筐体を用意しておく必要上、表示装置全体が高価になってしまうとい
う問題点がある。
【０００６】
本発明者は上記問題点に鑑み、表示装置の各構成部品をできるだけ変更せずに２つの表
示パネル間の距離を変更できる構成について種々検討を行った結果、この表示装置の筐体
への固定構造を変更することで、上記問題点を解決することができることを見出し、本発
明に至ったものである。
【０００７】
すなわち、本発明の目的は、安価な方法で２つの表示パネルのパネル間距離を変更する
ことが可能な表示装置を提供することである。
【課題を解決するための手段】
【０００８】
上記目的を達成するために、本発明の表示装置は、第１表示パネルと、前記第１表示パ
ネルの後方に配設される第２表示パネルと、前記第１表示パネルの前方に配設される前面
枠と、前記第１表示パネルと前記第２表示パネルとの間に配設されて前記第１表示パネル
及び前記第２表示パネルを支持する中間ケースと、前記第２表示パネルの後方に設けられ
るバックライトと、を備える表示装置であって、少なくとも前記前面枠、中間ケース及び
バックライトの隅部にはそれぞれ固定孔が設けられており、該隅部毎に一体に固定されて
いることを特徴とする。
【０００９】
上記発明によれば、前面枠、中間ケース及びバックライトの隅部に設けられた固定孔に
よって隅部毎に固定することで、各構成部材を一体固定するため、簡単な固定構造となり
安価に製造することが可能となる。また、このような固定構造を採用したことにより、例
えば第１、第２表示パネルのパネル間距離を変更したい場合には、中間ケースの肉厚を変
更するだけで、他の部品を変更することなくこのパネル間距離を変更することができる。
【００１０】
また、上記発明において、前記前面枠は額縁状に形成され且つその外周囲から側壁が垂
下されて構成されており、更に前記バックライトの後方には矩形状の板体からなりその外
周縁から側壁が立設された裏面カバーが設けられ、前記裏面カバーはその側壁が前記前面
枠の側壁にその固定位置の変更が可能な状態で固定されていることを特徴とする。
【００１１】
上記発明によれば、この表示装置において通常用いられる前面枠が金属薄板で構成され
ているので、このように裏面カバーを使用することで表示装置の機械的な強度を向上させ
ることができる。また、このような裏面カバーを使用すれば、バックライト背面に配設さ
れる表示パネル駆動用の制御基板等を外力から保護することができるようになる。また、
この裏面カバーを使用したとしても、裏面カバーは前面枠に固定位置が変更できるように
固定されるので、パネル間距離を変更しても裏面カバーを変更する必要はない。
【００１２】
また、上記発明において、前記中間ケースは第１ケースと第２ケースの複数部材からな
り、前記第１ケースは第１表示パネルを支持し、前記第１ケースの後方にはモアレ対策フ
ィルムが配設され、前記第２ケースは該モアレ対策フィルムと前記第２表示パネルとの間
に位置して該モアレ対策フィルム及び前記第２表示パネルを支持し、前記第１、第２ケー
スのそれぞれの隅部には前記固定孔が設けられていることを特徴とする。
【００１３】
上記発明によれば、中間ケースを第１、第２ケースの２つに分けて、この両ケース間に
モアレ対策フィルムを配設することにより、第１、第２液晶表示パネル間に生じるモアレ
現象を好適に抑えることができる。
【００１４】
また、上記発明において、前記第１、第２表示パネルは液晶表示パネルからなることを
特徴とする。
【００１５】
また、上記発明において、前記バックライトはカーボンナノチューブを用いたフィール
ド・エミッション・ディスプレイ（ＣＮＴ−ＦＥＤ）からなる平面光源であることを特徴
とする。
【００１６】
上記発明によれば、第１、第２表示パネルとして、同様の構成を備える液晶表示パネル
を採用することができる。加えて、バックライトとしては、ＣＮＴ−ＦＥＤからなる平面
光源を採用することができるので、バックライト自体を薄型化することができる。
【００１７】
また、上記発明において、前記第１表示パネルは液晶表示パネルからなり、前記第２表
示パネル及び前記バックライトは、ＣＮＴ−ＦＥＤにより兼用されていることを特徴とす
る。
【００１８】
上記発明によれば、第２表示パネル及びバックライトをＣＮＴ−ＦＥＤを用いて、すな
わち１つの構成部材によって兼用して実現することができるので、表示装置全体がさらに
薄型化できる。
【発明を実施するための最良の形態】
【００１９】
以下、図面を参照して本発明の最良の実施形態を説明する。但し、以下に示す実施形態
は、本発明の技術思想を具体化するための表示装置を例示するものであって、本発明をこ
の表示装置に特定することを意図するものではなく、特許請求の範囲に含まれるその他の
実施形態のものも等しく適応し得るものである。
【実施例１】
【００２０】
図１は本発明の一実施形態に係る表示装置を分解して示す分解斜視図、図２は図１の表
示パネルを組み立てた状態を示す斜視図、図３は図２のIII部分の分解概略断面図、図４
は図３に示す表示装置を組み立てた状態を示す概略断面図、図５は図２のＶ部分の概略断
面図である。
【００２１】
本発明の表示装置１は、図１及び図２に示すように、第１、第２表示パネルとしての第
１液晶表示パネル１０Ａ及び第２液晶表示パネル１０Ｂと、第１液晶表示パネル１０Ａの
前方周囲を覆う前面枠２０と、第１、第２液晶表示パネル１０Ａ、１０Ｂ間に設けられる
中間ケースとしての第１、第２ケース３０、３５及びモアレ対策フィルムＭＦと、第２液
晶表示パネル１０Ｂの後方に設けられるバックライト４０及び裏面カバー４５と、から構
成されている。
【００２２】
第１液晶表示パネル１０Ａ及び第２液晶表示パネル１０Ｂは、図１及び図３に示すよう
に、矩形状のガラス基板の表面に液晶駆動用の各種配線が設けられたアレイ基板１１Ａ、
１１Ｂと、同じく矩形状のガラス基板の表面に各種配線及びカラーフィルタ等が設けられ
たカラーフィルタ基板１２Ａ、１２Ｂと、を備えている。そして、このアレイ基板１１Ａ
、１１Ｂとカラーフィルタ基板１２Ａ、１２Ｂとを、それぞれのアレイ基板とカラーフィ
ルタ基板が対向するように重ね合わせ、シール材を用いて貼り合わせた後、この両基板（
１１Ａと１２Ａの間、１１Ｂと１２Ｂの間）にそれぞれ液晶を封入することにより第１、
第２液晶表示パネル１０Ａ、１０Ｂの組立がなされている。さらに、この液晶が封入され
た第１、第２液晶表示パネル１０Ａ、１０Ｂの両面には偏光フィルタ１３Ａ、１４Ａ、１
３Ｂ、１４Ｂが貼付されている。また、このように組立がなされた第１、第２液晶表示パ
ネル１０Ａ、１０Ｂは、その上端部に配線が引回されており、この配線がＦＰＣ１５Ａ、
１５Ｂを介して制御基板１６Ａ、１６Ｂに電気的に接続されている。
【００２３】
前面枠２０は、図１、図３及び図５に示すように、第１液晶表示パネル１０Ａの前方周
囲を覆うように、中央に窓部２１を有し略額縁状に形成されている。そして、この額縁状
の外周縁部には、所定長さの側壁２２ａ〜２２ｄが第１液晶表示パネル１０Ａ側に垂下さ
れて形成されている。加えて、この前面枠２０の額縁状部分の４箇所の隅部近傍には、後
述する固定ボルトＢ１が相通されるボルト挿通孔２３ａがそれぞれ設けられており、この
ボルト挿通孔２３ａの周囲は固定ボルトＢ１の頭部が収容できるよう凹状に窪んだ第１窪
み部２３となっている。さらに、側壁２２ａ〜２２ｄのうち、左右側壁２２ａ、２２ｃに
は、この左右側壁２２ａ、２２ｃの後方端部から前方に向かって複数箇所（本実施例では
右側壁と左側壁にそれぞれ３箇所ずつ）にスリット２４ａが設けられており、また、この
スリット２４ａの周囲は後述する裏面カバー４５の左右側壁４６ａ、４６ｃに設けられた
第２窪み部４７に当接する長尺窪み部２４となっている。
【００２４】
第１ケース３０は、図１及び図３に示すように、中央部に窓部３１を有する額縁状部材
から形成されており、４本の長尺な方形状の支持片３２ａ〜３２ｄを組み合わせて形成さ
れている。この支持片３２ａ〜３２ｄは、その前方に第１液晶表示パネル１０Ａが取り付
けられるように、所定の段部等が形成されている。また、この支持片３２ａ〜３２ｄの接
続部、すなわちこの第１ケース３０の隅部はそれぞれ固定部３３を形成しており、この固
定部３３には、前面枠２０の第１窪み部２３に設けられた固定孔２３ａに連通する固定孔
３３ａが設けられている。さらに、４辺のうちの１辺である上部支持片３２ｂには、第１
、第２液晶表示パネル１０Ａ、１０Ｂにそれぞれ接続された制御基板１６Ａ、１６Ｂ同士
を電気的に隔離するための隔壁３４が設けられている。
【００２５】
モアレ対策フィルムＭＦは、第１、第２液晶表示パネル１０Ａ、１０Ｂ間に生じるモア
レ（干渉縞）現象を抑制するために設けられるものであり、拡散フィルムから形成されて
いる。
【００２６】
第２ケース３５は、図１及び図３に示すように、中央部に窓部３６を有する額縁状部材
から形成されており、４本の長尺な方形状の支持片３７ａ〜３７ｄを組み合わせて形成さ
れている。この支持片３７ａ〜３７ｄは、その前方にはモアレ対策フィルムＭＦ、その後
方には第２液晶表示パネル１０Ｂが取り付けられるように、所定の段部等が形成されてい
る。また、この支持片３７ａ〜３７ｄの接続部、すなわちこの第２ケース３５の隅部はそ
れぞれ固定部３８を形成しており、この固定部３８には、前面枠２０の第１窪み部２３に
設けられた固定孔２３ａ及び第１ケース３０の固定孔３３ａに連通する固定孔３８ａが設
けられている。
【００２７】
バックライト４０は、図１及び図３に示すように、矩形状の板材の外周縁部が前方に所
定角度で立設した形状のバックライト筐体４１と、このバックライト筐体４１内に収容さ
れる複数本の冷陰極蛍光管４２と、このバックライト筐体４１の前方開口部を覆う調光フ
ィルム、拡散フィルム等からなる光学フィルム４３と、から構成されている。このうち、
冷陰極蛍光管４２は例えば表示装置１の縦方向に並列に配設されている。また、バックラ
イト筐体４１の四方の隅部には固定部４４が設けられており、この固定部４４には、前述
の前面枠２０、第１、第２ケース３０、３５に設けられたそれぞれの固定孔２３ａ、３３
ａ、３８ａに連通する固定孔４４ａが設けられている。
【００２８】
裏面カバー４５は、図１〜図５に示すように、矩形状板体の四方端部がそれぞれ独立に
前方に向かって立設した側壁４６ａ〜４６ｄを備えた金属板材から構成されている。これ
らの側壁４６ａ〜４６ｄ同士の間は細長なスリット状の空隙となっており、さらに、少な
くとも左右側壁４６ａ、４６ｃには、前方端部から後方に向かって所定長さの切り欠き４
８が設けられている。上記空隙及び切り欠き４８は、裏面カバー４５内に上述の各構成部
材が収納される際の作業性を高めるために設けられたものである。また、左右側壁４６ａ
、４６ｃの前面枠２０の長尺窪み部２４に対応する位置には、支持ボルトＢ２（図５参照
）が挿通される挿通孔４７ａが中心部に設けられた凹状の第２窪み部４７が設けられてい
る。
【００２９】
次に、図１〜図５を参照して、本実施例の表示装置１の組み立て工程を説明する。
先ず、バックライト４０上に、第２液晶表示パネル１０Ｂ、第２ケース３５、モアレ対
策フィルムＭＦ、第１ケース３０、第１液晶表示パネル１０Ａを順次積層配置する。そし
て、第１液晶表示パネル１０Ａの前方周囲を覆うように、且つ前面枠２０の側壁２２ａ〜
２２ｄ内に上記構成部材が収納されるように前面枠２０を積層配置する。この状態で、次
に固定ボルトＢ１を前面枠２０に設けられた第１窪み部２３の固定孔２３ａのそれぞれに
挿通させて螺子止めする。なお、第１、第２ケース３０、３５及びバックライト４０に設
けられた固定孔３３ａ、３８ａ及び４４ａの内面に雌ネジ加工が施しておくことにより、
固定ボルトＢ１はこれらの固定孔３３ａ、３８ａ及び４４ａに螺合されることとなり、各
部材を強固に固定することができる。
【００３０】
このように、固定ボルトＢ１によって一体に固定された前面枠２０、第１、第２液晶表
示パネル１０Ａ、１０Ｂ、第１、第２ケース３０、３５、モアレ対策フィルムＭＦ及びバ
ックライト４０からなる組立体は、次に裏面カバー４５内に収容される。この収容に際し
ては、前面枠２０の左右側壁２２ａ、２２ｃに設けられた長尺窪み部２４と裏面カバー４
５の左右側壁４６ａ、４６ｃに設けられた第２窪み部４７とが互いに当接した状態で、第
２窪み部４７が長尺窪み部２４に沿ってスライドするように上記組立体を裏面カバー４５
内に収容する。
【００３１】
裏面カバー４５内に上記組立体を収容すると、裏面カバー４５の内部底面にバックライ
ト筐体４１の背面が当接することとなる。この状態で、第２窪み部４７の挿通孔４７ａ内
に支持ボルトＢ２を挿通し、螺合することによって裏面カバー４５の固定を行う。以上の
手順によって表示装置１の組立がなされる。
【００３２】
図６は図２に示す表示装置の表示パネル間距離を変更した状態を示す斜視図、図７は図
６のVII部分の概略断面図である。なお、図６及び図７に示す表示装置１'は、上述の表示
装置１の各構成要件のうち、第１ケース３０のみを変更したものであり、その他の構成は
変更していない。
【００３３】
この表示装置１'の備える第１ケース３０'は、上記表示装置１の第１ケース３０に比し
て、その肉厚が異なっており、その他の部分は同一の構成を備えている。つまり、この第
１ケース３０'を採用する目的は、第１、第２液晶表示パネル１０Ａ、１０Ｂのパネル間
距離を変更するために用いられたものである。
【００３４】
表示装置１'を組み立てる際には、上記表示装置１と同様の組立工程を経て組み立てら
れる。ただし、裏面カバー４５内に前面枠２０、第１、第２液晶表示パネル１０Ａ、１０
Ｂ、第１、第２ケース３０'、３５、モアレ対策フィルムＭＦ及びバックライト４０から
なる組立体を収容すると、表示装置１に比して奥行き方向の長さが長い状態で裏面カバー
４５の内部底面とバックライト筐体４１の背面とが当接する。しかしながら、裏面カバー
４５と前面枠２０との固定は、長尺窪み部２４と第２窪み部４７との当接部分で支持ボル
トＢ２を螺合固定するようになっているので、上記表示装置１と同一構成の前面枠２０及
び裏面カバー４５をそのまま使用することが可能となる。
【００３５】
以上説明したように、本発明の表示装置１、１'によれば、パネル間距離を変更したい
場合には各構成部材のうち第１ケース３０のみを変更するだけで簡単にパネル間距離を変
更することが可能となる。また、これらの各部材の固定には固定ボルトＢ１が用いられて
いるので、簡単な構成で上述の効果を得ることができる。
【００３６】
また、本発明の表示装置１、１'の前面枠２０が金属薄板で構成されているので、この
ように裏面カバー４５を使用することで表示装置１、１'の機械的強度を向上させること
ができる。また、このような裏面カバー４５を使用すれば、バックライト４０背面に配設
される第１、第２液晶表示パネル１０Ａ、１０Ｂ駆動用の制御基板１６Ａ、１６Ｂ等を外
力から保護することができるようになる。また、この裏面カバー４５を使用したとしても
、裏面カバー４５は前面枠２０に固定位置が変更できるように固定されるので、パネル間
距離を変更しても裏面カバー４５を変更する必要はない。
【００３７】
なお、上記実施例においては、第２表示パネルとして液晶表示パネルを採用し、バック
ライトとして冷陰極蛍光管を採用した例について説明したが、これに限定されるものでは
ない。具体的には、例えばバックライトとして、カーボンナノチューブを用いたフィール
ド・エミッション・ディスプレイ（ＣＮＴ−ＦＥＤ）からなる平面光源を採用しても良い
し、あるいは第２表示パネル及びバックライトとして、カーボンナノチューブを用いたフ
ィールド・エミッション・ディスプレイ（ＣＮＴ−ＦＥＤ）を用いて一体形成してもよい
。
【図面の簡単な説明】
【００３８】
【図１】一実施形態の液晶表示装置を分解して示す分解斜視図である。
【図２】図１の表示パネルを組み立てた状態を示す斜視図である。
【図３】図２のIII部分の分解概略断面図である。
【図４】図３に示す表示装置を組み立てた状態を示す概略断面図である。
【図５】図２のＶ部分の分解概略断面図である。
【図６】図２に示す表示装置の表示パネル間距離を変更した状態を示す斜視図である。
【図７】図６のVII部分の概略断面図である。
【図８】従来の表示装置を示す断面図である。
【符号の説明】
【００３９】
１、１'…表示装置  １０Ａ…第１液晶表示パネル  １０Ｂ…第２液晶表示パネル  ２０
…前面枠  ２３…第１窪み部  ２４…長尺窪み部  ３０…第１ケース  ３３、３８、４４
…固定部  ２３ａ、３３ａ、３８ａ、４４ａ…固定孔  ３５…第２ケース  ４０…バック
ライト  ４２…冷陰極蛍光管  ４５…裏面カバー  ４７…第２窪み部  ＭＦ…モアレ対策
フィルム
【図１】
2008242153.tif 000003
【図２】
2008242153.tif 000004
【図３】
2008242153.tif 000005
【図４】
2008242153.tif 000006
【図５】
2008242153.tif 000007
【図６】
2008242153.tif 000008
【図７】
2008242153.tif 000009
【図８】
2008242153.tif 000010